(57)【要約】【課題】各人がより違和感無く装着することができる３Ｄメガネを提供する。【解決手段】頭周りに掛かる形態で使用者に固定されるバンド部と、使用者の両目前方に配置されるように前記バンド部に設けられ、３Ｄ複合映像を左目用映像と右目用映像に変換して表示する映像変換部と、を備え、前記バンド部には、使用者の頭周りによりフィットさせるための形状調節を可能とする、アジャスタ機構が備えられている３Ｄメガネとする。【選択図】図１
2013016961.tif 000002
【特許請求の範囲】
【請求項１】
頭周りに掛かる形態で使用者に固定されるバンド部と、
使用者の両目前方に配置されるように前記バンド部に設けられ、３Ｄ複合映像を左目用映像と右目用映像に変換して表示する映像変換部と、を備え、
前記バンド部には、
使用者の頭周りによりフィットさせるための形状調節を可能とする、アジャスタ機構が備えられていることを特徴とする３Ｄメガネ。
【請求項２】
前記バンド部は、
略輪状に形成された部分の内周が、頭周りに掛かる形態で使用者に固定されるものであり、
前記アジャスタ機構は、
前記内周の寸法が調節自在となるように、前記形状調節を可能とすることを特徴とする請求項１に記載の３Ｄメガネ。
【請求項３】
前記映像変換部は、
ヒンジ機構により回動自在である形態で前記バンド部に設けられ、
前記使用者の両目前方に位置する状態と位置しない状態とが、前記回動によって切替えられることを特徴とする請求項２に記載の３Ｄメガネ。
【請求項４】
前記映像変換部は、
前記使用者が掛けている視力矯正用メガネに干渉しない位置に配置されるように、前記バンド部に設けられることを特徴とする請求項２に記載の３Ｄメガネ。
【請求項５】
前記バンド部を構成するバンド部品と、前記映像変換部を構成する映像変換部品と、を備えた請求項２または請求項３に記載の３Ｄメガネであって、
前記映像変換部品は、
前記バンド部品に対して着脱自在に形成された、交換可能な部品であることを特徴とする３Ｄメガネ。
【請求項６】
前記バンド部品に磁石が設けられており、
前記映像変換部品は、
前記磁石の磁力によって、前記バンド部品に取り付けられることを特徴とする請求項５に記載の３Ｄメガネ。
【請求項７】
請求項５または請求項６に記載の３Ｄメガネの形成に用いられるものであって、
前記バンド部品と、
サイズが異なる複数の前記映像変換部品と、を備えたことを特徴とする３Ｄメガネセット。
【発明の詳細な説明】
【技術分野】
【０００１】
本発明は、３Ｄ［3 Dimensions］映像を見るために用いられる３Ｄメガネ、および３Ｄメガネの形成に用いられる３Ｄメガネセットに関する。
【背景技術】
【０００２】
従来、メガネを用いる３Ｄ映像技術が提案されている。この３Ｄ映像技術によれば、左目用映像と右目用映像が所定方式により複合した映像（本願では「３Ｄ複合映像」と称する）が、映し出される。
【０００３】
そして観察者は、３Ｄ複合映像を左目用映像と右目用映像に変換する３Ｄメガネを装着した上で、３Ｄ複合映像を見る。これにより、観察者の左右の目に異なる映像が入り、観察者は３Ｄ映像（立体的に見える映像）を見ることが可能である。
【０００４】
なお、左目用映像と右目用映像を複合させる方式としては、時分割方式や空間分割方式など、各種の方式が存在する。３Ｄ複合映像を３Ｄ映像として適切に見るためには、観察者は、その方式に適応した３Ｄメガネを用いる必要がある。
【先行技術文献】
【特許文献】
【０００５】
【特許文献１】特開平１０−１０８２１９号公報
【発明の概要】
【発明が解決しようとする課題】
【０００６】
３Ｄメガネは他の一般的なメガネ（視力矯正用メガネ等）とは異なり、３Ｄ映像を適切に見るために、誰にとっても必要となるものである。そのため３Ｄメガネは、同じものが複数人に使い回されるケースが、比較的多くなると想定される。
【０００７】
そのため３Ｄメガネは、このようなケースでも各人が出来るだけ違和感無く装着可能であることが、より強く要望される。しかし従来の３Ｄメガネは、顔や頭の大きさ等の個人差（年齢差や性差などを含む）が十分に考慮されていない。その結果、３Ｄメガネがあまりフィットしない者にとっては、３Ｄメガネの装着時に大きな違和感があることが懸念される。
【０００８】
本発明は上述した問題に鑑み、各人がより違和感無く装着することができる３Ｄメガネの提供を目的とする。またこのような３Ｄメガネの形成に用いられる３Ｄメガネセットの提供を他の目的とする。
【課題を解決するための手段】
【０００９】
上記目的を達成するため、本発明に係る３Ｄメガネは、頭周りに掛かる形態で使用者に固定されるバンド部と、使用者の両目前方に配置されるように前記バンド部に設けられ、３Ｄ複合映像を左目用映像と右目用映像に変換して表示する映像変換部と、を備え、前記バンド部には、使用者の頭周りによりフィットさせるための形状調節を可能とする、アジャスタ機構が備えられている構成とする。
【００１０】
本構成によれば、例えば複数人に使い回されるような場合でも、形状調節が適宜なされることにより、各人がより違和感無く装着することができる。
【００１１】
また上記構成としてより具体的には、前記バンド部は、略輪状に形成された部分の内周が、頭周りに掛かる形態で使用者に固定されるものであり、前記アジャスタ機構は、前記内周の寸法が調節自在となるように、前記形状調節を可能とする構成としてもよい。
【００１２】
また上記構成において、前記映像変換部は、ヒンジ機構により回動自在である形態で前記バンド部に設けられ、前記使用者の両目前方に位置する状態と位置しない状態とが、前記回動によって切替えられる構成としてもよい。
【００１３】
本構成によれば、映像変換部の状態を、使用者の両目前方に位置する状態と位置しない状態との間で、容易に切替えることが可能となる。
【００１４】
また上記構成としてより具体的には、前記映像変換部は、前記使用者が掛けている視力矯正用メガネに干渉しない位置に配置されるように、前記バンド部に設けられる構成としてもよい。
【００１５】
また、前記バンド部を構成するバンド部品と、前記映像変換部を構成する映像変換部品と、を備えた上記構成に係る３Ｄメガネにおいて、前記映像変換部品は、前記バンド部品に対して着脱自在に形成された、交換可能な部品である構成としてもよい。
【００１６】
また上記構成としてより具体的には、前記バンド部品に磁石が設けられており、前記映像変換部品は、前記磁石の磁力によって、前記バンド部品に取り付けられる構成としてもよい。
【００１７】
また本発明に係る３Ｄメガネセットは、上記構成に係る３Ｄメガネの形成に用いられるものであって、前記バンド部品と、サイズが異なる複数の前記映像変換部品と、を備えた構成とする。本構成によれば、顔の形等が異なる各人に対して、より適切な３Ｄメガネを提供することが可能となる。
【発明の効果】
【００１８】
上述した通り、本発明に係る３Ｄメガネによれば、例えば複数人に使い回されるような場合でも、形状調節が適宜なされることにより、各人がより違和感無く装着することができる。また本発明に係る３Ｄメガネセットによれば、顔の形等が異なる各人に対して、より適切な３Ｄメガネを提供することが可能となる。
【図面の簡単な説明】
【００１９】
【図１】本発明の実施形態に係る３Ｄメガネの外観図である。
【図２】当該３Ｄメガネの装着形態に関する説明図である。
【図３】アジャスタ機構を用いた形状調節に関する説明図である。
【図４】バンド部品への映像変換部品の取付けに関する説明図である。
【図５】映像変換部品の状態の切替に関する説明図である。
【図６】映像変換部品が視力矯正用メガネに干渉しないことを表す説明図である。
【図７】各サイズの映像変換部品の外観図である。
【図８】当該３Ｄメガネの使用形態に関する説明図である。
【図９】前後方向への映像変換部品の位置調節に関する説明図である。
【発明を実施するための形態】
【００２０】
本発明の実施形態について、各図面を参照しながら以下に説明する。
【００２１】
［３Ｄメガネの全体構成および装着形態］
図１は、本実施形態に係る３Ｄメガネの外観図である。なお図１では、（ａ）上方視点による外観図、（ｂ）前方視点による外観図、および（ｃ）左方視点による外観図が、それぞれ表されている。なお以下の説明では特に断りの無い限り、上下左右や前後の方向は、図１に実線矢印で示す通りであるとする。
【００２２】
本図に示すように、当該３Ｄメガネ１は、バンド部品２および映像変換部品３によって形成されている。またバンド部品２は、輪状部１１、緩衝部１２、および取付部１３を有している。なお詳しくは後述するが、映像変換部品３はバンド部品２に対して着脱自在であり、交換可能な部品となっている。
【００２３】
図２は、３Ｄメガネ１が使用者に装着された状態を示している。本図に示すように３Ｄメガネ１は、バンド部品２が頭部に嵌め込まれるようにして、使用者に装着される。また３Ｄメガネ１の装着時、映像変換部品３は、使用者の両目前方に配置されるようになっている。
【００２４】
［３Ｄメガネの各部構成等］
次に３Ｄメガネの各部構成について、より詳細に説明する。輪状部１１は、３Ｄメガネ１を使用者に固定する役割を果すものであり、第１半輪状部１１ａおよび第２半輪状部１１ｂから構成されている。第１半輪状部１１ａおよび第２半輪状部１１ｂは、それぞれ、例えばプラスチックによって略半輪状に形成されている。
【００２５】
また第１半輪状部１１ａの一端側の内部には、その端面から第２半輪状部１１ｂの一端が挿入される挿入スペースが設けられている。また第１半輪状部１１ａの他端側の内部には、その端面から第２半輪状部１１ｂの他端が挿入される挿入スペースが設けられている。このように第１半輪状部１１ａの両端側は、端面が開口した略管状の形状となっている。
【００２６】
そして、第１半輪状部１１ａの一端側に設けられた挿入スペースには、第２半輪状部１１ｂの一端が挿入され、第１半輪状部１１ａの他端側に設けられた挿入スペースには、第２半輪状部１１ｂの他端が挿入されている。これにより輪状部１１は、図１（ａ）に示すように、全体的に見て略輪状を形成している。輪状部１１は、内側に頭が挿入されることで、その内周が使用者の頭周りに当接する。このようにして輪状部１１は、その内周が頭周りに掛かる形態で使用者に固定される。
【００２７】
また輪状部１１には、輪状部１１の内周の寸法を調節自在（伸縮自在）とする、アジャスタ機構が備えられている。アジャスタ機構は、使用者の頭周りによりフィットさせるための輪状部１１の形状調節を可能とする機構の一形態である。より具体的には、第１半輪状部１１ａに設けられた各挿入スペースは、第２半輪状部１１ｂの端部を十分に深く挿入することが可能であるように、十分に長く設定されている。
【００２８】
そして第１半輪状部１１ａの各挿入スペースを形成する壁には、第２半輪状部１１ｂの挿入方向へ延びるように鋸歯状の凹凸部が設けられており、第２半輪状部１１ｂの両先端部分には、この凹凸部の任意の位置に引っ掛かる爪が設けられている。なお爪の引っ掛かり（特に、挿入スペースから抜け出さないようにする方向の引っ掛かり）は、使用者の操作によって解除可能となっている。
【００２９】
これにより使用者は、爪の引っ掛かりを解除した状態で、第２半輪状部１１ｂを第１半輪状部１１ａの側へ押さえたり、第１半輪状部１１ａの側から引っ張ったりすることにより、第２半輪状部１１ｂの挿入の深さを、自在に調節することが可能である。つまり、第２半輪状部１１ｂの先端が最も浅く挿入された状態から、最も深く挿入された状態までの範囲において、図１（ａ）に破線矢印で示す方向に、第２半輪状部１１ｂの位置が調節可能となっている。
【００３０】
図３は、（ａ）第２半輪状部１１ｂが比較的浅く挿入された状態、および、（ｂ）第２半輪状部１１ｂが（ａ）の場合に比べΔＬだけ深く挿入された状態を、それぞれ示している。図３に示すように、第２半輪状部１１ｂが深く挿入されるほど、輪状部１１の内周の寸法（周方向の長さ）は短くなる。
【００３１】
図２に示す３Ｄメガネ１の装着形態から明らかな通り、輪状部１１の内周の寸法が短くなるほど、輪状部１１は、より頭周りの小さい使用者にフィットすることとなる。使用者はアジャスタ機構を用いて、自分の頭周りにフィットするように、輪状部１１の内周の寸法を調節することが可能である。
【００３２】
なお当該調節の可能な範囲は、３Ｄメガネ１を使用する可能性がある者の年齢や性別などを考慮し、出来るだけ多くの使用者にフィットさせることが可能であるように、適切に設定されていることが望ましい。なお、上述したアジャスタ機構の具体的形態は、一つの例に過ぎない。アジャスタ機構としては、使用者の頭周りによりフィットするように輪状部１１の形状調節が可能となっている限り、様々な形態のものが採用され得る。
【００３３】
緩衝部１２は、輪状部１１に比べて柔らかい素材（例えばウレタンスポンジ）によって形成されており、輪状部１１の前側かつ内側（使用者の額に対応する箇所）に設けられている。緩衝部１２は、輪状部１１が使用者の額に直接当らないようにし、３Ｄメガネ１の使い心地を向上させる役割を果す。
【００３４】
取付部１３は、輪状部１１の前側かつ外側に、前方へやや突出する形態で設けられている。取付部１３は、映像変換部品３が使用者の両目前方に位置するように、映像変換部品３がバンド部品２へ着脱自在に取付可能となるようにする。
【００３５】
より具体的には図４（前方視点による各部品の外観図）に示すように、取付部１３の前側には、磁石１３ａが設けられている。また映像変換部品３の後側の中央上部には、例えば鉄で形成された薄板３ａが設けられている。そして磁力によって薄板３ａが磁石１３ａへ引き付けられるようにすることで、映像変換部品３がバンド部品２に取付けられる。取付けられた映像変換部品３は、バンド部品２から手で引き離すようにして、使用者にも容易に取り外し可能である。
【００３６】
なお映像変換部品３は、重力によってバンド部品２から意図せずに外れることがないように、出来るだけ軽量化されていることが望ましい。そのため、磁石と薄板の各々をバンド部品２と映像変換部品３の何れに配置するかについては、より軽い方が、映像変換部品３に配置されることが望ましい。そこで３Ｄメガネ１においては、磁石１３ａがバンド部品２に配置され、磁石１３ａより軽い薄板３ａが映像変換部品３に配置されている。
【００３７】
但し何らかの事情により、映像変換部品３の側に磁石が配置されるようにしても構わない。また本実施形態では、映像変換部品３はバンド部品２に対して着脱自在に形成されているが、変形例として、このような着脱が出来ない構成（双方の部品に相当する部分が、一体的となっている構成）が採用されても構わない。
【００３８】
また取付部１３には、映像変換部品３を図１（ｃ）に破線矢印で示すように上下方向へ回動可能とする、ヒンジ機構１３ｂが設けられている。ヒンジ機構１３ｂは、バンド部品２の本体側（輪状部１１等が含まれる側）と磁石１３ａとの間に介在している。これにより映像変換部品３は、ヒンジ機構１３ｂにより回動自在である形態で、バンド部品２に設けられることになる。
【００３９】
使用者は、３Ｄメガネ１を装着したまま、手を使って映像変換部品３を回動させることが可能である。使用者は映像変換部品３を回動させ、映像変換部品３の状態を、図５（ａ）に示す状態（通常の状態）と図５（ｂ）に示す状態（跳ね上げられた状態）との間で、自在に切替えることが可能である。
【００４０】
ここで図５（ａ）に示す状態は、映像変換部品３が使用者の両目前方に位置する状態である。この状態では、前方からの映像等の光が使用者の目に直接入るのではなく、映像変換部品３の後側から出る光（後述する、左目用映像や右目用映像を含む）が、使用者の目に入ることになる。
【００４１】
また図５（ｂ）に示す状態は、３Ｄメガネ１が使用者に装着されていながらも、映像変換部品３が使用者の両目前方に位置しない状態である。この状態では、前方からの映像等の光は映像変換部品３を介さず、使用者の目に直接入ることになる。
【００４２】
また取付部１３の形状（特に、輪状部１１からの突出度合）は、使用者が掛けている視力矯正用メガネと映像変換部品３との干渉が生じないように、適切に設定されている。すなわち取付部１３の形状は、使用者の顔と映像変換部品３との間に、視力矯正用メガネが収まる程度の隙間が生じるように設定されている。
【００４３】
例えば、基準とするサイズの視力矯正用メガネ（一例としては、市場に流通している各種サイズの視力矯正用メガネのうち、やや大きめのもの）を掛けている使用者がモデルとして想定され、このモデルが３Ｄメガネ１を装着しても、視力矯正用メガネと映像変換部品３との干渉が回避されるように、取付部１３の形状が設定されている。
【００４４】
これにより、視力矯正用メガネを掛けている者が３Ｄメガネ１を装着する場合であっても、その使用者は、視力矯正用メガネと映像変換部品２との干渉を気にすることなく、視力矯正用メガネを掛けたまま３Ｄメガネ１を装着することが可能である。なお図６は、視力矯正用メガネ５を掛けている使用者が、３Ｄメガネ１を装着している状態を示している。
【００４５】
図５の場合と同様、図６（ａ）に示す状態は、映像変換部品３が使用者の両目前方に位置する状態であり、図６（ｂ）に示す状態は、３Ｄメガネ１が使用者に装着されていながらも、映像変換部品３が使用者の両目前方に位置していない状態である。図６（ａ）および（ｂ）に示す何れの状態においても、視力矯正用メガネ５と映像変換部品２は干渉しない。このように映像変換部品３は、使用者が掛けている視力矯正用メガネ５に干渉しない位置に配置されるように、バンド部品２に設けられるものとなっている。
【００４６】
また映像変換部品３は、前方に表示された３Ｄ複合映像（左目用映像と右目用映像が所定方式により複合した映像）を、左目用映像と右目用映像に変換する機能を有する。映像変換部品３は、左側に左目用映像を表示し、右側に右目用映像を表示するようになっている。
【００４７】
これにより、映像変換部品３が使用者の両目前方に位置しているとき（図５（ａ）や図６（ａ）の状態のとき）は、左目用映像は使用者の左目側に表示され、右目用映像は使用者の右目側に表示されることになる。左目用映像が使用者の左目に入り、右目用映像が使用者の右目に入ることにより、使用者は３Ｄ映像を見ることが可能である。
【００４８】
なお、３Ｄ複合映像を左目用映像や右目用映像に変換する方式について、３Ｄメガネ１に適用される方式は特に限定されない。例えば、左右に異なる偏光の特性をもたせる偏光方式、液晶シャッターで左右交互に開閉する液晶シャッター方式、および左右に異なる波長選択特性をもたせる波長選択方式などのうち、何れの方式が適用されるようにしても構わない。
【００４９】
また映像変換部品３は、人によって顔の形（特に両目の間隔など）が異なることに鑑み、例えば図７に示すように各種サイズのものが、それぞれ交換可能な部品として用意されている。なお以下の説明では、バンド部品２および各種サイズの映像変換部品３を含む部品群を、３Ｄメガネセット（３Ｄメガネ１の形成に用いられるもの）と称することがある。
【００５０】
図７に示す例では、映像変換部品３として、大きめのサイズの映像変換部品３Ｌ、普通のサイズの映像変換部品３Ｍ、および小さめのサイズの映像変換部品３Ｓが用意されている。何れのサイズの映像変換部品３も、基本的構成は同等であるが、左目用映像および右目用映像を表示する位置がサイズ毎に少しずつ異なっている。
【００５１】
より具体的には、普通のサイズの映像変換部品３Ｍは、両目の間隔が平均的である者（例えば小柄な大人）に使用される場合に、各映像が最適な位置に表示されるように（左目用映像および右目用映像が、使用者の目のほぼ真前に表示されるように）設定されている。また大きめのサイズの映像変換部品３Ｌは、両目の間隔がやや広い者（例えば大柄な大人）に使用される場合に、各映像が最適な位置に表示されるように設定されている。また小さめのサイズの映像変換部品３Ｓは、両目の間隔がやや狭い者（例えば子供）に使用される場合に、各映像が最適な位置に表示されるように設定されている。
【００５２】
３Ｄメガネセットによれば、使用者は、各サイズの映像変換部品３の中から３Ｄ映像を最も適切に見ることが可能となるものを選出し、バンド部品２（取付部１３）に取付けることにより、自分に適した３Ｄメガネ１を形成することが出来る。すなわち３Ｄメガネセットによれば、顔の形が異なる各人に対して、より適切な３Ｄメガネ１を提供することが可能である。
【００５３】
［３Ｄメガネの使用形態等］
３Ｄメガネ１は、３Ｄ映像を見る際に使用される。すなわち３Ｄ映像を見ようとする使用者は、３Ｄメガネ１を装着した上で、図８に示すように、３Ｄ複合映像を表示する映像表示装置７のディスプレイを見る。なお映像表示装置７は、３Ｄメガネ１に対応した方式の３Ｄ複合映像（映像変換部品３により、左目用映像と右目用映像に変換される映像）を表示させる装置（例えば３Ｄ−ＴＶ）である。３Ｄメガネ１の装着により、使用者は３Ｄ映像を見ることが可能となる。
【００５４】
また３Ｄメガネ１の装着に先立ち、使用者は、アジャスタ機構を利用して輪状部１１の内周の寸法を調節したり、映像変換部品３を交換したりすることが可能である。これにより使用者は、３Ｄメガネ１を出来るだけ違和感無く使用することが可能である。
【００５５】
また、映像表示装置７が３Ｄ複合映像と普通の映像（３Ｄメガネを使わずに見る映像）を随時切替えて表示するようになっていても、使用者は、３Ｄメガネ１を装着したまま映像変換部品３を適宜回動させ、何れの映像をも適切に見ることが可能である。
【００５６】
すなわち使用者は、映像表示装置７が３Ｄ複合映像を表示しているときは、映像変換部品３を両目前方に位置する状態（図５（ａ）や図６（ａ）を参照）とし、映像表示装置７が普通の映像を表示しているときは、映像変換部品３を両目前方に位置しない状態（図５（ｂ）や図６（ｂ）を参照）として、何れの映像をも適切に見ることが可能である。
【００５７】
なお、このような映像変換部品３の状態を切替える操作は、３Ｄメガネ１を装着したままで実行可能であるため、使用者にとってあまり面倒とはならない。またこの操作は、手を使って容易かつ素早く行うことが可能であるため、表示される映像が普通の映像と３Ｄ複合映像との間で突然に切替っても、使用者は即座に対応することが出来る。
【００５８】
［前後方向への映像変換部品の位置調節］
以下、上述した実施形態の幾つかの変形例について説明する。３Ｄメガネ１は、前後方向への映像変換部品３の位置調節が可能であるように、構成されていても良い。図９は、このように構成された３Ｄメガネ１を例示している。
【００５９】
図９に示す３Ｄメガネ１においては、取付部１３の一部としてスライド部１３ｃが設けられている。スライド部１３ｃは、前後方向に伸びた略棒状となっており、ヒンジ機構１３ｂより輪状部１１に近い位置に設けられている。
【００６０】
また輪状部１１（第１半輪状部１１ａ）の前側には、スライド部１３ｃが挿入される前後方向に伸びた穴が設けられている。スライド部１３ｃがこの穴に挿入されていることにより、取付部１３は輪状部１１に固定されている。またスライド部１３ｃは、使用者の操作により、この穴の中を前後方向へ自在にスライドさせる（つまり挿入の深さを変える）ことが可能である。このスライドにより、輪状部１１からの取付部１３の突出度合が変化する。
【００６１】
これにより３Ｄメガネ１は、図９に示しているように、前後方向への映像変換部品３の位置（輪状部１１との相対的位置）の調節が可能となっている。なお図９は、（ａ）映像変換部品３の位置が比較的後となるように位置調節された状態、および、（ｂ）映像変換部品３の位置が比較的前となるように位置調節された状態を示している。
【００６２】
このような位置調節が可能であることにより、使用者は、自分の顔と映像変換部品３との隙間の大きさを、所望の状態に調節することが可能である。また視力矯正用メガネを掛けている使用者は、その視力矯正用メガネのサイズに応じて、映像変換部品３と視力矯正用メガネが干渉しないように、隙間の大きさを適切に調節することが可能である。
【００６３】
［映像変換部品の状態切替の自動化］
先述した通り３Ｄメガネ１においては、使用者の操作により、使用者の両目前方に位置する状態と位置しない状態との間で、映像変換部品３の状態を切替えることが可能である（図５や図６を参照）。この点に関して３Ｄメガネ１は、このような状態の切替を自動的に（或いは半自動的に）行うようになっていても良い。
【００６４】
例えば液晶シャッター方式が適用される場合、３Ｄメガネ１は、映像表示装置７側から同期信号（時分割方式による３Ｄ複合映像と液晶シャッターの開閉を、同期させる信号）を受取ることになる。そのため３Ｄメガネ１は、この同期信号に基づいて、３Ｄ複合映像と普通の映像の何れが表示されているかを認識することが可能である。
【００６５】
そして３Ｄメガネ１は、（１）３Ｄ複合映像から普通の映像へ切替ったときに、映像変換部品３の状態を、使用者の両目前方に位置する状態から位置しない状態に切替える動作、および（２）普通の映像から３Ｄ複合映像へ切替ったときに、映像変換部品３の状態を、使用者の両目前方に位置しない状態から位置する状態に切替える動作、の両方または一方を行うように構成される。
【００６６】
なお、このような状態切替のために映像変換部品３を自動的に動かす機構については、例えば各種の機構のうち、３Ｄメガネ１に要求される仕様（サイズ、重量、或いは価格など）を満足するものが採用され得る。一例を挙げれば、モータの駆動力、バネの弾性力、或いは形状記憶合金における元の形状に戻ろうとする力を利用して、映像変換部品３を跳ね上げる（使用者の両目前方に位置する状態から位置しない状態に切替える）機構などが採用され得る。
【００６７】
上述したように、映像変換部品３の状態の切替が自動的に（或いは半自動的に）行われるようになっていれば、当該切替を行うための使用者の負担（必要となる操作）は軽減する。そのため、３Ｄメガネ１の利便性の向上が期待される。
【００６８】
［その他］
以上までに説明した通り、本発明の実施形態に係る３Ｄメガネ１は、頭周りに掛かる形態で使用者に固定されるバンド部品２と、使用者の両目前方に配置されるようにバンド部品２に設けられ、３Ｄ複合映像を左目用映像と右目用映像に変換して表示する映像変換部品３と、を備えており、左目用映像と右目用映像が使用者の各々の目に入るようにするものである。
【００６９】
そしてバンド部品２には、使用者の頭周りによりフィットさせるための形状調節を可能とする、アジャスタ機構が備えられている。そのため３Ｄメガネ１によれば、複数人に使い回されるような場合でも、各人は自分にフィットするように形状調節を行い、より違和感無く３Ｄメガネ１を装着することが可能である。
【００７０】
また本発明の構成は、上記実施形態のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００７１】
本発明は、３Ｄ映像を見る際に用いられる３Ｄメガネに利用することができる。
【符号の説明】
【００７２】
１    ３Ｄメガネ
２    バンド部品
３    映像変換部品
３ａ  薄板
３Ｌ  大きめのサイズの映像変換部品
３Ｍ  普通のサイズの映像変換部品
３Ｓ  小さめのサイズの映像変換部品
５    視力矯正用メガネ
７    映像表示装置
１１    輪状部
１１ａ  第１半輪状部
１１ｂ  第２半輪状部
１２    緩衝部
１３    取付部
１３ａ  ヒンジ機構
１３ｂ  磁石
１３ｃ  スライド部
【図１】
2013016961.tif 000003
【図２】
2013016961.tif 000004
【図３】
2013016961.tif 000005
【図４】
2013016961.tif 000006
【図５】
2013016961.tif 000007
【図６】
2013016961.tif 000008
【図７】
2013016961.tif 000009
【図８】
2013016961.tif 000010
【図９】
2013016961.tif 000011